【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
水平構造体を含む重機用のバラストシステムであって、
前記重機の前記水平構造体の一部の端部に近接して取外し可能に取り付けられるように構成されたバラストウェイトと、
前記重機の前記水平構造体に取り付けられた少なくとも１つのアクチュエータであって、第１位置と第２位置との間で作動可能であり、かつ、前記水平構造体の少なくとも一部に沿って水平に作動するよう方向付けされた、少なくとも１つのアクチュエータと、
少なくとも１つの引張り部材であって、前記バラストウェイトを前記アクチュエータに接続し、かつ、前記少なくとも１つのアクチュエータが前記水平構造体の少なくとも一部に沿って作動するのに反応して前記バラストウェイトを垂直に移動するように構成された、少なくとも１つの引張り部材と、
前記バラストウェイトを前記水平構造体の前記端部に取外し可能に取り付けるように構成された固定機構と、
を備え、
前記固定機構が、
前記水平構造体に配置された引っ込み式保持部材であって、当該引っ込み式保持部材を前記水平構造体に対して移動させるように構成された固定アクチュエータを含む、引っ込み式保持部材と、
前記固定アクチュエータから独立した付勢部材であって、前記水平構造体に配置され、かつ、前記保持部材を前記バラストウェイトへ向けて推し進める付勢力を前記保持部材に継続的に加える、付勢部材と、
を備え、
前記引っ込み式保持部材は、前記少なくとも１つの引張り部材によって前記バラストウェイトが垂直に移動させられるにつれて、前記付勢部材によって保持位置へと連続的に付勢されて前記バラストウェイトに係合し、かつ、前記バラストウェイトが前記水平構造体に近接して位置するときに、前記バラストウェイトを前記端部に自動的に固定し、
前記固定アクチュエータは、当該固定アクチュエータが作動させられているときに、前記付勢部材の前記付勢力に対抗して、前記引っ込み式保持部材を保持位置から解除位置に移動させる、
ことを特徴とするバラストシステム。
【請求項２】
前記バラストウェイトが、締結部材を備え、
前記保持位置において、前記引っ込み式保持部材は、前記バラストウェイトを前記水平構造体の前記端部に保持するように、前記締結部材と接触するように位置し、
前記解除位置において、前記引っ込み式保持部材は、前記バラストウェイトが垂直に移動できるように前記締結部材を解除するように、前記締結部材と接触しないように位置する、
ことを特徴とする請求項１に記載のバラストシステム。
【請求項３】
前記締結部材がフック部材を備え、
前記引っ込み式保持部材が、前記保持位置と前記解除位置との間で移動可能でありかつ前記保持位置において前記フック部材と係合するように構成されたハンガーピンを備える、
ことを特徴とする請求項２に記載のバラストシステム。
【請求項４】
前記付勢部材が、前記保持位置へ向けて前記ハンガーピン部材を付勢するための付勢力を与えるように構成され、
前記固定アクチュエータが、前記付勢部材の前記付勢力に打ち勝つのに充分な作動力を与えて前記ハンガーピンを前記保持位置と前記解除位置との間で移動するように構成される、
ことを特徴とする請求項３に記載のバラストシステム。
【請求項５】
前記少なくとも１つのアクチュエータが液圧アクチュエータである、ことを特徴とする請求項１に記載のバラストシステム。
【請求項６】
更に、ローラー部材であって、前記水平構造体の前記端部に近接して配置され、かつ、前記引張り部材に当接して前記引張り部材の上側部分の水平移動を前記引張り部材の下側部分の垂直移動へ方向転換するように構成されたローラー部材を備える、
ことを特徴とする請求項１に記載のバラストシステム。
【請求項７】
重機の一部分であって、
水平構造体と、
前記水平構造体から垂直方向に分離された土台構造体と、
バラストシステムと、を備え、
バラストシステムは、
前記重機の前記水平構造体の一部の端部に近接して取外し可能に取り付けられるように構成されたバラストウェイトと、
前記重機の前記水平構造体に取り付けられた少なくとも１つのアクチュエータであって、第１位置と第２位置との間で作動可能でありかつ前記水平構造体の少なくとも一部に沿って水平に作動する向きを持つ、少なくとも１つのアクチュエータと、
少なくとも１つの引張り部材であって、前記バラストウェイトを前記アクチュエータに接続し、かつ前記少なくとも１つのアクチュエータが前記水平構造体の少なくとも一部に沿って作動するのに反応して前記バラストウェイトを垂直に移動するように構成された、少なくとも１つの引張り部材と、
前記バラストウェイトを前記水平構造体の前記端部に取外し可能に取り付けるように構成された固定機構と、
を備え、
前記固定機構が、
前記水平構造体に配置された引っ込み式保持部材であって、当該引っ込み式保持部材を前記水平構造体に対して移動させるように構成された固定アクチュエータを含む、引っ込み式保持部材と、
前記固定アクチュエータから独立した付勢部材であって、前記水平構造体に配置され、かつ、前記保持部材を前記バラストウェイトへ向けて推し進める付勢力を前記保持部材に継続的に加える、付勢部材と、
を備え、
前記引っ込み式保持部材は、前記少なくとも１つの引張り部材によって前記バラストウェイトが垂直に移動させられるにつれて、前記付勢部材によって保持位置へと連続的に付勢されて前記バラストウェイトに係合し、かつ、前記バラストウェイトが前記水平構造体に近接して位置するときに、前記バラストウェイトを前記端部に自動的に固定し、
前記固定アクチュエータは、当該固定アクチュエータが作動させられているときに、前記付勢部材の前記付勢力に対抗して、前記引っ込み式保持部材を保持位置から解除位置に移動させる、
ことを特徴とする重機の一部分。
【請求項８】
前記バラストウェイトが、締結部材を備え、
前記保持位置において、前記引っ込み式保持部材は、前記バラストウェイトを前記水平構造体の前記端部に保持するように、前記締結部材と接触するように位置し、
前記解除位置において、前記引っ込み式保持部材は、前記バラストウェイトが垂直に移動できるように前記締結部材を解除するように、前記締結部材と接触しないように位置する、
ことを特徴とする請求項７に記載の重機の一部分。
【請求項９】
前記締結部材が、フック部材を備え、
前記引っ込み式保持部材が、前記保持位置と前記解除位置との間で移動可能でありかつ前記保持位置において前記フック部材と係合するように構成されたハンガーピンを備える、
ことを特徴とする請求項８に記載の重機の一部分。
【請求項１０】
前記付勢部材が、前記保持位置へ向けて前記ハンガーピン部材を付勢するための付勢力を与えるように構成され、
前記固定アクチュエータが、前記付勢部材の前記付勢力に打ち勝つのに充分な作動力を与えて前記ハンガーピンを前記保持位置と前記解除位置との間で移動するように構成される、
ことを特徴とする請求項９に記載の重機の一部分。
【請求項１１】
前記少なくとも１つのアクチュエータが液圧アクチュエータである、ことを特徴とする請求項７に記載の重機の一部分。
【請求項１２】
更に、前記水平構造体の前記端部に近接して配置されかつ前記引張り部材に当接して前記引張り部材の上側部分の水平移動を前記引張り部材の下側部分の垂直移動に方向転換するように構成されたローラー部材を備える、
ことを特徴とする請求項７に記載の重機の一部分。
【請求項１３】
水平構造体を備える重機にバラストを取外し可能に設置する方法であって、
前記水平構造体の一部の端部に取外し可能に取り付けられるように構成されたバラストウェイトを設置するステップと、
前記水平構造体にアクチュエータを設置するステップと、
前記アクチュエータと前記バラストウェイトとの間に引張り部材を取り付けるステップと、
前記水平構造体の一部に沿って水平に移動して前記水平構造体の前記部分の前記端部へ向かって垂直に前記バラストウェイトを垂直に引き上げるように前記アクチュエータを作動するステップと、
前記バラストウェイトを前記水平構造体の前記端部に取り付けるために固定機構を係合するステップと、
を含み、
前記固定機構を係合するステップが、前記バラストウェイトが垂直に引き上げられるにつれて、付勢部材によって連続的に付勢力を加えて、引っ込み式保持部材を前記バラストウェイトに向かって推し進めて、締結部材を前記バラストウェイトに自動的に係合させ、かつ、前記バラストウェイトが前記水平構造体に近接して位置するときに、前記バラストウェイトを前記水平構造体の前記端部に自動的に固定することを含む、
ことを特徴とする方法。
【請求項１４】
前記水平構造体の前記部分に沿って水平に移動して前記固定機構の上方へ前記バラストウェイトの前記締結部材を垂直に引き上げるように前記アクチュエータを作動し、
固定アクチュエータによって、前記固定機構の前記引っ込み式保持部材を、前記付勢部材の前記付勢力に対抗して、前記バラストウェイトの前記締結部材と係合しない解除位置へ移動し、
前記バラストウェイトの前記締結部材を前記固定機構の下方へ垂直に下降するように前記アクチュエータを作動せしめる、
ことによって、前記固定機構の係合を解除するステップを含む、
ことを特徴とする請求項１３に記載の方法。
【請求項１５】
前記引っ込み式保持部材が、保持位置へ付勢されて前記バラストウェイトに設置された締結部材と係合するハンガーピンを含み、前記締結部材が、フック部材を備える、
ことを特徴とする請求項１４に記載の方法。
【請求項１６】
前記水平構造体の前記部分に沿って水平に移動して前記バラストウェイトの前記フック部材を前記ハンガーピンの上方へ垂直に引き上げるように前記アクチュエータを作動し、
前記固定アクチュエータによって、前記ハンガーピンを前記バラストウェイトの前記フック部材と係合しない解除位置へ移動し、
前記バラストウェイトの前記フック部材を前記ハンガーピンの下方へ垂直に下降するように前記アクチュエータを作動する、
ことによって、前記固定機構の係合を解除するステップを含む、
ことを特徴とする請求項１５に記載の方法。
【請求項１７】
更に、前記引張り部材をローラー部材に被せて張って、前記引張り部材の上側部分の水平移動を前記引張り部材の下側部分の垂直移動へ方向転換するステップを含む、
ことを特徴とする請求項１３に記載の方法。